(57)【要約】      （修正有）【課題】医師や看護師が、必要なときに簡単にパイプ同士の嵌合を外すことができ、かつ、作業の妨げとならない態様で常時身につけておくこと又は病室を訪問する際に携行するキャスター付きワゴンの棚の縁に固定することが可能なウェッジを提供する。【解決手段】着脱可能なように作られたパイプ同士の嵌合を外すために用いるＵ字溝形状の先端を有するウェッジであって、該ウェッジの末端から該Ｕ字溝形状の先端の方向に向かって厚みが薄くなるくさび形状であり、片面に被挟持物を挟持するためのクリップを備える。【選択図】図１
0003211894.tif 000002
【実用新案登録請求の範囲】
【請求項１】
着脱可能なように作られたパイプ同士の嵌合を外すために用いるＵ字溝形状の先端を有するウェッジであって、該ウェッジの末端から該Ｕ字溝形状の先端の方向に向かって厚みが薄くなるくさび形状であり、片面に被挟持物を挟持するためのクリップを備える、ウェッジ。
【請求項２】
前記クリップが、Ｕ字溝形状を有し、前記ウェッジのＵ字溝形状に沿って、設置されていることを特徴とする、請求項１に記載のウェッジ。
【請求項３】
着脱可能なように作られたパイプ同士の嵌合を外すために用いるＵ字溝形状の先端を有するウェッジであって、該ウェッジの末端から該Ｕ字溝形状の先端の方向に向かって厚みが薄くなるくさび形状であり、被挟持物を挟持するためのスリットを有する、ウェッジ。
【考案の詳細な説明】
【技術分野】
【０００１】
本考案は、着脱可能なパイプ同士の嵌合を外すために用いるウェッジに関するものである。
【背景技術】
【０００２】
人工呼吸器を使用する患者は、通常、気管チューブか気管切開チューブ（以下、総称して気管チューブと称する）を口、鼻あるいは気管切開口に差し込んでおり、この気管チューブに人工呼吸器から延びているジャバラチューブが接続される。気管チューブのジャバラチューブとの接続端、およびジャバラチューブの気管チューブとの接続端には、それぞれJIS T 7201-2-1で規格化された円錐コネクタが付属している。通常気管チューブには円錐コネクタの雄コネクタが、ジャバラチューブには円錐コネクタの雌コネクタが付属している。雄コネクタは長さ１５〜２０ｍｍ程度、直径１５ｍｍ程度の金属あるいは比較的硬質の樹脂でできている円錐台状のパイプである。一方、雌コネクタはその内側に雄コネクタが嵌合するようにできている金属あるいは比較的硬質の樹脂でできているパイプである。互いに強く嵌合させることで、摩擦力で固定される。
人工呼吸器が不用意に外れることは、患者の死に直結するので、通常、雌コネクタは、雄コネクタにしっかりと嵌合されている。しかし、患者の気道のケアなどを行う際には、雌コネクタを雄コネクタから外す必要があるが、しっかりと嵌合されている場合には容易に外れないことがある。雄コネクタは、患者に差し込まれている気管チューブに付属しているので、急に大きく動かしたりすると患者に苦痛を与えたり、気道の損傷の原因になるので、むやみに力任せに外すこともしがたい。
【０００３】
嵌合を容易に外すために、Ｕ字型をしたくさび状の器具であるウェッジ（チューブ取り外し用ウェッジ、ディスコネクトウェッジ）が市販されている。これはくさびを雌コネクタと雄コネクタの間に差し入れることで嵌合を外すための器具であるが（参照：図１）、頻繁に使うものでもないため、常時持ち歩くことは通常はしない。そのため必要なときにとっさに使えないという欠点があった。
【考案の概要】
【考案が解決しようとする課題】
【０００４】
医師や看護師が、必要なときに簡単にパイプ同士の嵌合を外すことができ、かつ、作業の妨げとならない態様で常時身につけておくこと又は病室を訪問する際に携行するキャスター付きワゴンの棚の縁に固定することが可能なウェッジを提供する。
【課題を解決するための手段】
【０００５】
本考案者は、前記の課題を解決するために、服のポケットやキャスター付きワゴンの棚の縁等の被挟持物に固定できるようにするためのクリップやスリットを有するウェッジを考案した。
【０００６】
すなわち、本考案は以下の通りである。
１．着脱可能なように作られたパイプ同士の嵌合を外すために用いるＵ字溝形状の先端を有するウェッジであって、該ウェッジの末端から該Ｕ字溝形状の先端の方向に向かって厚みが薄くなるくさび形状であり、片面に被挟持物を挟持するためのクリップを備える、ウェッジ。
２．前記クリップが、Ｕ字溝形状を有し、前記ウェッジのＵ字溝形状に沿って、設置されていることを特徴とする、前項１に記載のウェッジ。
３．着脱可能なように作られたパイプ同士の嵌合を外すために用いるＵ字溝形状の先端を有するウェッジであって、該ウェッジの末端から該Ｕ字溝形状の先端の方向に向かって厚みが薄くなるくさび形状であり、被挟持物を挟持するためのスリットを有する、ウェッジ。
【考案の効果】
【０００７】
本考案は、医師や看護師が、必要なときに簡単にパイプ同士の嵌合を外すことができ、かつ、作業の妨げとならない態様で常時身につけておくこと又は病室を訪問する際に携行するキャスター付きワゴンの棚の縁に固定することが可能なウェッジを提供することができる。
【図面の簡単な説明】
【０００８】
【図１】（ａ）嵌合している状態のジャバラチューブの円錐コネクタ（雌コネクタ）及び気管チューブの円錐コネクタ（雄コネクタ）に既存のウェッジを用いて嵌合を外そうとしている図。（ｂ）ジャバラチューブの円錐コネクタ及び気管チューブの円錐コネクタの嵌合が外れている状態。
【図２】筆記具用クリップ様構造を有するクリップを備える、ウェッジ（被挟持物を挟持した状態）。左図はクリップを備える面、中央図は側面、右図はクリップを備える面の反対側の面を示す。
【図３】バネ付きクリップを備える、ウェッジ（被挟持物を挟持した状態）。左図はクリップを備える面、中央図は側面、右図はクリップを備える面の反対側の面を示す。
【図４】スリットを有する、ウェッジ（被挟持物を挟持した状態）。左図はスリットに対して平行な片面、右図はスリットに対して平行な他方の面、中央図は側面図を示す。
【図５】Ｕ字溝形状のクリップを備える、ウェッジ（被挟持物を挟持した状態）。左図はクリップを備える面、中央図は側面、右図はクリップを備える面の反対側の面を示す。
【図６】Ｕ字溝形状のクリップを備える、ウェッジの三面図。（ａ）クリップを備える面の正面図を示す。（ｂ）側面図を示す。（ｃ）クリップを備える面の背面図（反対側の面の正面図）を示す。
【考案を実施するための形態】
【０００９】
本考案のウェッジは、クリップ及び／又はスリットを備えることにより、医師や看護師が、必要なときに簡単にパイプ同士の嵌合を外すことができ、かつ、作業の妨げとならない態様で常時身につけておくこと又は病室を訪問する際に携行するキャスター付きワゴンの棚の縁に固定することが可能なウェッジを提供する。
以下、本考案を実施するための形態について説明するが、何ら請求項の範囲を限定するものではない。
【００１０】
（本考案のクリップ付きウェッジ）
本考案のクリップ付きウェッジは、片面に被挟持物を挟持するためのクリップを備えるものであれば、特に限定されないが、好ましくは以下のクリップ付きウェッジが挙げられる。
（１）筆記具用クリップ様構造を有するクリップを備える、ウェッジ
本考案者は、通常のボールペンに付いているようなコイルバネを有さない筆記具用クリップ様構造を有するクリップを備える、クリップ付きウェッジを考案した（図２）。該クリップの形状は、コイルバネを有さないクリップであれば、特に限定されない。
なお、図２に記載の筆記具用クリップ様構造を有するクリップは、ウェッジの先端側に支点があり、ウェッジの末端側に作用点がある場合を図示している。よって、被挟持物を挟持した状態では、ウェッジの先端が図２では上側に位置する。
一方、筆記具用クリップ様構造を有するクリップは、ウェッジの先端側に作用点、ウェッジの末端側に支点があるようにもでき、その場合、ウェッジの先端が図２では下側に向くことになる（ウサギの顔が図２の右図に対して１８０°回転している）。
（２）バネ付きクリップを備える、クリップ付きウェッジ
本考案者は、コイルバネを有することを特徴とするバネ付きクリップを備える、クリップ付きウェッジを考案した（図３）。該クリップの形状は、コイルバネを有するクリップであれば、特に限定されない。
なお、図３に記載のバネ付きクリップは、ウェッジの先端側に支点があり、ウェッジの末端側に作用点がある場合を図示している。よって、被挟持物を挟持した状態では、ウェッジの先端が図３では上側に位置する。
一方、バネ付きクリップは、ウェッジの先端側に作用点、ウェッジの末端側に支点があるようにもでき、その場合、ウェッジの先端が図３では下側に向くことになる（ウサギの顔が図３の右図に対して１８０°回転している）。
（３）Ｕ字溝形状のクリップを備える、ウェッジ
本考案者は、Ｕ字溝形状のクリップを備える、ウェッジを考案した（図５、６）。該クリップの詳細については、後述する。
なお、図５に記載のＵ字溝形状のクリップは、ウェッジの先端側に２つの支点があり、ウェッジの末端側に１つの作用点がある場合を図示している。よって、被挟持物を挟持した状態では、ウェッジの先端が図５では上側に位置する。
一方、Ｕ字溝形状のクリップは、ウェッジの先端側に２つの作用点、ウェッジの末端側に１つの支点があるようにもでき、その場合、ウェッジの先端が図５では下側に向くことになる（ウサギの顔が図５の右図に対して１８０°回転している）。
【００１１】
（本考案のスリット入りウェッジ）
本考案のスリット入りウェッジは、被挟持物を挟持するためのスリットを有するものであれば、特に限定されないが、好ましくは以下のスリット入りウェッジが挙げられる。
〇スリットを有する、ウェッジ
本考案者は、ウェッジ自体にスリットを入れ、ウェッジ自体に被挟持物を挟持する手段を持たせた、スリット入りウェッジを考案した（図４）。
本考案のスリット入りウェッジは、スリットを入れる位置、スリットの大きさについて制約がなく、例えば、スリットをウェッジの末端から先端近くまで入れることができるため、挟持面の面積を大きく確保することができ、特に衣服のポケット等に取り付けやすいという利点がある（図４）。
【００１２】
（被挟持物）
本考案のクリップ付きウェッジ１あるいはスリット入りウェッジは、ウェッジ本体３及びクリップ２あるいはスリットにより被挟持物を挟持することができる。
被挟持物は、特に限定されないが、例えば、衣服のポケット、衣服の裾、衣服の襟、鞄及びポーチ等のポケット、キャスター付きワゴンの棚の縁、プラスチックトレーの縁、クリップボードの縁等が挙げられる。
【００１３】
（本考案のＵ字溝形状のクリップ付きウェッジ）
本考案のＵ字溝形状のクリップ付きウェッジ１の全体図を図６に示す。
本考案のクリップ付きウェッジ１は、ウェッジ本体３、Ｕ字溝形状５を有する先端４、末端６を含む。
クリップ付きウェッジ１は、好ましくは、ウェッジの末端６からウェッジ本体３を介してＵ字溝形状５を有する先端４の方向に向かって、厚みが薄くなるくさび形状（ウェッジ側面から見た場合に先細りした形状）を有する（図６（ｂ））。該くさび形状は、例えば、クリップ付きウェッジ１の厚みがＵ字溝形状５を有する先端４において最も薄くなる形状となる。
気管チューブ等の嵌合を外す際、気管チューブ等の接続端のパイプ同士の嵌合（繋ぎ目）に、Ｕ字溝形状５を有する先端４を差し込み、嵌合しているパイプにＵ字溝形状５を押し込むことによりパイプ同士の嵌合を外すことができる。
Ｕ字溝形状５の形状は、パイプが通過できる形状であれば、特に限定されないが、例えば、Ｕ字溝形状の弯曲部分が直径５ｍｍ〜４０ｍｍ、１０ｍｍ〜３５ｍｍ、１０ｍｍ〜２０ｍｍ、１５ｍｍ〜２５ｍｍ又は２５ｍｍ〜３５ｍｍの略半円型であって、Ｕ字溝形状の直線部分が前記弯曲部分の直径と略同一の幅を有するＵ字溝形状である。
また、例えば、患者の不安を和らげる観点等から、Ｕ字溝形状５を有する先端４の形状を動物の耳として、ウェッジ本体３（さらには、末端６）を動物の顔の形状とすることもできる。例えば、うさぎ、キツネの顔の形状のようなＵ字溝形状のクリップ付きウェッジとすることもできる（図５）。
【００１４】
クリップ２は、ウェッジ本体３の片面に設置されている。より好ましくは、クリップ２は、Ｕ字溝形状を有し、前記ウェッジのＵ字溝形状５に沿って、設置されていることを特徴とする（図６（ａ））。このように設置されていることにより、気管チューブ等の接続端のパイプがＵ字溝形状５を通過する際に、クリップ２が該パイプに接触せず、かつ、Ｕ字溝形状５を有する先端４に近い位置、より詳しくは末端６よりもＵ字溝形状５に近い位置に配置することが可能となる（図６（ａ））。
Ｕ字溝形状を有するクリップ２は、上記位置に配置されることにより、衣服のポケット等の被挟持物に付けた場合に、ウェッジの先端部が自重で前に倒れてしまうことを防止することができる（図５）。
クリップ付きウェッジ（図２、３、５）の中でも、Ｕ字溝形状のクリップ２を備える、クリップ付きウェッジ１は、ウェッジの機能を損なうことなく、挟持手段の深さ、すなわちクリップの先端から末端までの距離を確保できることから、安定性が高まる。ここで、安定性とは、例えば医師や看護師が衣服のポケットに取り付けた場合に姿勢を変えても、クリップ付きウェッジ１がポケットの中で動きにくいこと等を意味する。よって、Ｕ字溝形状のクリップ２を備える、クリップ付きウェッジ１が、最も好ましい。
【００１５】
（総論）
本考案のウェッジは、以下の少なくとも１以上の特徴及び効果を有する。
（１）Ｕ字溝形状の先端を有するウェッジ本体により、気管チューブ等の接続端のパイプ同士の嵌合を容易に外すことができる。
（２）クリップ又はスリットにより被挟持物を挟持することができる。
（３）Ｕ字溝形状を有するクリップがウェッジのＵ字溝形状に沿って、設置されていることにより、衣服のポケット等の被挟持物に付けた場合に、ウェッジの先端部が自重で前に倒れてしまうことを防止することができる。
【産業上の利用可能性】
【００１６】
医師や看護師が、必要なときに簡単にパイプ同士の嵌合を外すことができ、かつ、作業の妨げとならない態様で常時身につけておくこと又は病室を訪問する際に携行するキャスター付きワゴンの棚の縁に固定することが可能なウェッジを提供する。
【符号の説明】
【００１７】
１：クリップ付きウェッジ
２：クリップ
３：ウェッジ本体
４：Ｕ字溝形状５を有する先端 
５：Ｕ字溝形状
６：末端
【図１】
0003211894.tif 000003
【図２】
0003211894.tif 000004
【図３】
0003211894.tif 000005
【図４】
0003211894.tif 000006
【図５】
0003211894.tif 000007
【図６】
0003211894.tif 000008